(57)【特許請求の範囲】
【請求項１】
熱伝導性を有する第一の回路基板と、
前記第一の回路基板と対向配置された熱伝導性を有する第二の回路基板と、
前記第二の回路基板と対向する前記第一の回路基板の対向面に接合された第一の半導体素子と、
前記第一の回路基板と対向する前記第二の回路基板の対向面に接合された第二の半導体素子と、
熱伝導性を有し、前記第一の半導体素子と前記第二の半導体素子とを電気接続する接続子と、を含み、
前記接続子は、前記第二の半導体素子を介さずに前記第一の半導体素子と前記第二の回路基板との間に挟み込まれて前記第一の半導体素子と前記第二の回路基板とに接するが、前記第一の回路基板には接しない第一の素子接合部であって、前記第一の半導体素子によって前記第一の回路基板から空間的に分離されている第一の素子接合部、を有する半導体モジュール。
【請求項２】
前記接続子は、前記第一の半導体素子を介さずに前記第二の半導体素子と前記第一の回路基板との間に挟み込まれて前記第二の半導体素子と前記第一の回路基板とに接するが、前記第二の回路基板には接しない第二の素子接合部であって、前記第二の半導体素子によって前記第二の回路基板から空間的に分離されている第二の素子接合部、を有する請求項１に記載の半導体モジュール。
【請求項３】
前記第一の半導体素子と前記第二の半導体素子は、前記第一の回路基板の対向面と直交する方向から見て、互いに重畳しない位置に配置されている請求項２に記載の半導体モジュール。
【請求項４】
前記第一の半導体素子において発生した熱は、第一の回路基板に伝わるとともに、接続子の第一の素子接合部を介して第二の回路基板に伝わる請求項１に記載の半導体モジュール。
【請求項５】
前記第二の半導体素子において発生した熱は、第二の回路基板に伝わるとともに、接続子の第二の素子接合部を介して第一の回路基板に伝わる請求項２に記載の半導体モジュール。
【発明の詳細な説明】
【技術分野】
【０００１】
この発明は、半導体モジュールに関する。
【背景技術】
【０００２】
半導体モジュールとして、複数の半導体素子を備えたものが知られている（例えば特許文献１〜４）。
【先行技術文献】
【特許文献】
【０００３】
【特許文献１】特開２０１１−２３５７０号公報
【特許文献２】特開２０１３−１１０１８１号公報
【特許文献３】特開２００１−１５６２２５号公報
【特許文献４】特開２０１２−２８３９８号公報
【発明の概要】
【発明が解決しようとする課題】
【０００４】
半導体モジュールにおいては、複数の半導体素子を高密度に集積することが求められている。高密度集積を可能とする技術として、複数の半導体素子を接続子を介して積層する構造が考えられている。しかし、この構造では、複数の半導体素子が接続子を介して積層方向に隣接して配置されるため、それぞれの半導体素子から放出された熱の一部が、接続子を介して、隣接する他の半導体素子に流入する。そのため、それぞれの半導体素子が、他の半導体素子から放出された熱によって加熱されてしまい、放熱性の点で課題がある。【０００５】
そこで、本発明は、半導体素子の熱を効率よく放熱させることができる半導体モジュールを提供することを目的とする。
【課題を解決するための手段】
【０００６】
上記目的を達成するため、本発明に係る半導体モジュールは、熱伝導性を有する第一の回路基板と、前記第一の回路基板と対向配置された熱伝導性を有する第二の回路基板と、前記第二の回路基板と対向する前記第一の回路基板の対向面に接合された第一の半導体素子と、前記第一の回路基板と対向する前記第二の回路基板の対向面に接合された第二の半導体素子と、前記第一の半導体素子と前記第二の半導体素子とを電気接続する接続子と、を含み、前記接続子は、前記第二の半導体素子を介さずに前記第一の半導体素子と前記第二の回路基板との間に挟み込まれて前記第一の半導体素子と前記第二の回路基板とに接するが、前記第一の回路基板には接しない第一の素子接合部であって、前記第一の半導体素子によって前記第一の回路基板から空間的に分離されている第一の素子接合部、を有する。
【発明の効果】
【０００７】
本発明の半導体モジュールによれば、接続子が、第二の半導体素子を介さずに第一の半導体素子と第二の回路基板との間に挟み込まれる部分を有する。そのため、少なくとも第一の半導体素子の熱の一部が第二の半導体素子を介さずに直接第二の回路基板に伝わる。これにより、第一の半導体素子の熱が第一の回路基板と第二の回路基板との双方から効率よく放熱することができる。また、第一の半導体素子から第二の半導体素子に流入する熱が少なくなるため、第二の半導体素子が第一の半導体素子から放出された熱によって加熱されることを抑制できる。
したがって、本発明によれば、放熱性の高い半導体モジュールを提供することができる。
【図面の簡単な説明】
【０００８】
【図１Ａ】本発明の第一の実施形態による半導体モジュールの一例を示す図である。
【図１Ｂ】図１Ａの接続子を回路基板直交方向の第一の回路基板側から見た図である。
【図２】本発明の第一の実施形態による半導体モジュールの接続子が外部接続リードに接合される場合の形態を示す図である。
【図３Ａ】本発明の第二の実施形態による半導体モジュールの一例を示す図である。
【図３Ｂ】図３Ａの接続子を回路基板直交方向の第一の回路基板側から見た図である。
【図４Ａ】本発明の実施形態による半導体モジュールの変形例を示す図である。
【図４Ｂ】図４Ａの接続子を回路基板直交方向の第一の回路基板側から見た図である。
【図５】本発明の第一の実施形態による半導体モジュールの変形例を示す図である。
【図６】本発明の第二の実施形態による半導体モジュールの変形例を示す図である。
【発明を実施するための形態】
【０００９】
（第一の実施形態）
以下、本発明の第一の実施形態による半導体モジュールについて、図１Ａ、図１Ｂおよび図２に基づいて説明する。
図１Ａおよび図１Ｂに示すように、第一の実施形態による半導体モジュール１Ａは、第一の回路基板２と、第一の回路基板２に対向配置された第二の回路基板３と、第一の回路基板２に接合された第一の半導体素子４と、第二の回路基板３に接合された第二の半導体素子５と、第一の半導体素子４および第二の半導体素子５を相互に電気接続する接続子６と、を備えている。
【００１０】
本実施形態の第一の回路基板２および第二の回路基板３は、例えば、それぞれ熱伝導性を有するセラミック基板であり、絶縁性を有する板状のセラミック板２１，３１と、セラミック板２１，３１の主面に設けられた導電層２２，３２と、を有している。本実施形態において、第一の回路基板２および第二の回路基板３は、セラミック板２１，３１の両主面に導電層２２，３２が設けられている。導電層２２，３２は、導電性を有していればよいが、例えば銅などのように電気伝導率の高い材料からなることが好ましい。
【００１１】
第一の回路基板２および第二の回路基板３は、これらの一方の導電層２２Ａ，３２Ａ（以下、第一の導電層２２Ａ，３２Ａと呼ぶ）が相互に対向するように、セラミック板２１，３１の厚さ方向に間隔をあけて配されている。第一の回路基板２および第二の回路基板３の第一の導電層２２Ａ，３２Ａは、第一の半導体素子４、第二の半導体素子５および接続子６とともに半導体モジュール１Ａの回路を構成する配線パターンとして形成されている。
【００１２】
第一の回路基板２の第一の導電層２２Ａには、第一の半導体素子４が接合され、第二の回路基板３の第一の導電層３２Ａには、第二の半導体素子５が接合されている。
具体的には、第一の半導体素子４の一方の主面が、はんだ等の導電性接着剤（不図示）によって第一の回路基板２の第一の導電層２２Ａに接合され、第二の半導体素子５の一方の主面が、はんだ等の導電性接着剤（不図示）によって第二の回路基板３の第一の導電層３２Ａに接合されている。これにより、第一の半導体素子４が第一の回路基板２の第一の導電層２２Ａに電気接続され、第二の半導体素子５が第二の回路基板３の第一の導電層３２Ａに電気接続されている。
【００１３】
本実施形態では、第一の回路基板２に接合されている第一の半導体素子４の電極と、第二の回路基板３に接合されている第二の半導体素子５の電極とが互いに異なるように構成されている。
上記のように接合された第一の半導体素子４および第二の半導体素子５は、第二の回路基板３と対向する第一の回路基板２の対向面に直交する方向（図１Ａ）において矢印Ａの方向、以下、回路基板直交方向Ａとする）から見て、互いに重畳しない位置に配置されている。
ここで、回路基板直交方向Ａに直交する方向で、第一の半導体素子４および第二の半導体素子５が配列されている方向（図１Ａにおいて矢印Ｂの方向）を第一の回路基板面方向Ｂとし、回路基板直交方向Ａおよび第一の回路基板面方向Ｂに直交する方向（図１Ｂにおいて矢印Ｃの方向）を第二の回路基板面方向Ｃとして以下説明する。
【００１４】
接続子６は、例えば、銅などの導電性材料から構成され、第一の半導体素子４と第二の半導体素子５とを電気接続する役割を果たす。接続子６は、第一の半導体素子４および第二の半導体素子５に接合されており、また、第一の回路基板２および第二の回路基板３の第一の導電層２２Ａ，３２Ａにも接合されている。
本実施形態の接続子６は、第一の半導体素子４と接合されている第一の素子接合部６１と、第二の半導体素子５と接合されている第二の素子接合部６２と、第一の素子接合部６１と第二の素子接合部６２とを接続する接続部６３と、を有している。これらは、第一の素子接合部６１、接続部６３、第二の素子接合部６２の順に第一の回路基板面方向Ｂの一方側から他方側に配列され、一体に形成されている。
【００１５】
第一の素子接合部６１は、その面が回路基板直交方向Ａ、第一の回路基板面方向Ｂおよび第二の回路基板面方向Ｃを向く略直方体状に形成されている。第一の素子接合部６１は、第一の半導体素子４とは回路基板直交方向Ａに重畳し、第二の半導体素子５とは重畳しないように配置されている。
【００１６】
第一の素子接合部６１のうち、第一の半導体素子４側の端面は、はんだ等の導電性接着剤（不図示）によって第一の半導体素子４の主面に接合され、第二の回路基板３側の端面は、はんだ等の導電性接着剤（不図示）によって第二の回路基板３の第一の導電層３２Ａに接合されている。すなわち、第一の素子接合部６１は、第二の半導体素子５を介さずに、第一の半導体素子４と第二の回路基板３との間に挟み込まれている。
接続子６の第一の素子接合部６１および第二の半導体素子５は、ともに第二の回路基板３の第一の導電層３２Ａに接合されているが、第二の回路基板３の第一の導電層３２Ａにおいて、接続子６の第一の素子接合部６１が接合される領域と、第二の半導体素子５が接合される領域とは、電気的に独立している。
【００１７】
第二の素子接合部６２は、その面が回路基板直交方向Ａ、第一の回路基板面方向Ｂおよび第二の回路基板面方向Ｃを向く略直方体状にそれぞれ形成された第一の直方体部６２ａおよび第二の直方体部６２ｂと、第一の直方体部６２ａと第二の直方体部６２ｂとを連結する連結部６２ｃと、を有している。これらは、第一の直方体部６２ａ、連結部６２ｃ、第二の直方体部６２ｂの順に第一の回路基板面方向Ｂの一方側から他方側に配列され、一体に形成されている。また、第一の直方体部６２ａ、第二の直方体部６２ｂおよび連結部６２ｃは、第二の回路基板面方向Ｃの寸法が略同じ寸法となるように形成されていて、この寸法は、第一の素子接合部６１の第二の回路基板面方向Ｃの寸法よりも小さく設定されている。
【００１８】
そして、第一の直方体部６２ａの連結部６２ｃ側の端面と連結部６２ｃの第一の直方体部６２ａ側の端面とが連結されていて、連結部６２ｃの第一の回路基板２側の端面と第二の直方体部６２ｂの第二の回路基板３側の端面の一部とが連結されている。回路基板直交方向Ａから見て、連結部６２ｃは、第二の直方体部６２ｂよりも第一の回路基板面方向Ｂの寸法が小さく形成されている。
第二の素子接合部６２は、第二の半導体素子５とは回路基板直交方向Ａに重畳し、第一の半導体素子４とは重畳しないように配置されている。
【００１９】
第一の直方体部６２ａのうち、第二の半導体素子５側の端面は、はんだ等の導電性接着剤（不図示）によって第二の半導体素子５の主面に接合され、第一の回路基板２側の端面は、第一の回路基板２と離間している。
第二の直方体部６２ｂのうち、第一の回路基板２側の端面は、はんだ等の導電性接着剤（不図示）によって第一の回路基板２の第一の導電層２２Ａに接合され、第二の回路基板３側の端面は、第二の回路基板３と離間している。
連結部６２ｃは、接合第一の回路基板２、第二の回路基板３、第一の半導体素子４、および第二の半導体素子５に接合されていない。
【００２０】
このような、第一の直方体部６２ａ、第二の直方体部６２ｂおよび連結部６２ｃを有する第二の素子接合部６２は、第一の半導体素子４を介さずに、第二の半導体素子５と第一の回路基板２との間に挟み込まれている。
接続子６の第二の素子接合部６２および第一の半導体素子４は、ともに第一の回路基板２の第一の導電層２２Ａに接合されているが、第一の回路基板２の第一の導電層２２Ａにおいて、接続子６の第二の素子接合部６２が接合される領域と、第一の半導体素子４が接合される領域とは、電気的に独立している。
【００２１】
接続部６３は、その面が回路基板直交方向Ａ、第一の回路基板面方向Ｂおよび第二の回路基板面方向Ｃを向く略直方体状に形成され、第一の素子接合部６１および第二の素子接合部６２の第一の直方体部６２ａとの間に配置され、第一の素子接合部６１および第二の素子接合部６２を接続している。なお、接続部６３は、第一の回路基板２、第二の回路基板３、第一の半導体素子４、および第二の半導体素子５に接合されていない。
なお、接続子６は、外部接続リード（不図示）に接合されていてもよい。例えば、図２に示すように、接続子６に外部接続リードと接合される外部接続部６４が設けられていてもよい。図２に示す外部接続部６４は、第一の素子接合部６１から第一の回路基板面方向Ｂの接続部６３と離間する方向に延びる形状に形成されている。
【００２２】
本実施形態の半導体モジュール１Ａは、例えば、半導体モジュール１Ａの回路を外部に接続するための接続端子（不図示）を備えてもよい。この場合、接続端子は、例えば第一の半導体素子４、第二の半導体素子５や第一の導電層２２Ａ，３２Ａに接合されればよい。
【００２３】
以上のように構成される本実施形態の半導体モジュール１Ａでは、通電により第一の半導体素子４において発生した熱が、第一の回路基板２に伝わるとともに、接続子６の第一の素子接合部６１を介して第二の回路基板３に伝わる。また、第二の半導体素子５において発生した熱が、第二の回路基板３に伝わるとともに、接続子６の第二の素子接合部６２を介して第一の回路基板２に伝わる。
そして、第一の回路基板２および第二の回路基板３に伝わった第一の半導体素子４および第二の半導体素子５の熱は、半導体モジュール１Ａの外部に放出することが可能である。例えば、第一の回路基板２や第二の回路基板３において第一の導電層２２Ａ，３２Ａと反対側に位置する他方の導電層２２，３２にヒートシンクを接触させることで、上記した熱を半導体モジュール１Ａの外部に効率よく放出することができる。
【００２４】
次に、上述した第一の実施形態による半導体モジュール１Ａの作用・効果について図面を用いて説明する。
第一の実施形態による半導体モジュール１Ａでは、第一の半導体素子４と第二の半導体素子５とが回路基板直交方向Ａに互いに重畳しない位置に配置されていて、接続子６が第二の半導体素子５を介さずに第一の半導体素子４と第二の回路基板３との間に挟み込まれた第一の素子接合部６１を有する。これにより、第一の半導体素子４の熱を第二の半導体素子５を介さずに直接第二の回路基板３に伝えることができる。
また、接続子６が第一の半導体素子４を介さずに第二の半導体素子５と第一の回路基板２との間に挟み込まれた第二の素子接合部６２を有することにより、第二の半導体素子５の熱を第一の半導体素子４を介さずに直接第一の回路基板２に伝えることができる。
このため、第一の半導体素子４および第二の半導体素子５の熱を、第一の回路基板２と第二の回路基板３との双方から効率よく放熱させることができる。
【００２５】
また、第一の半導体素子４から放出された熱は第二の半導体素子５にほとんど流入しないため、第一の半導体素子４から放出された熱によって第二の半導体素子５が加熱されることを抑制できる。また、同様にして、第二の半導体素子５から放出された熱は第一の半導体素子４にほとんど流入しないため、第二の半導体素子５から放出された熱によって第一の半導体素子４が加熱されることを抑制できる。
以上のことから、放熱性の高い半導体モジュール１Ａを提供することができる。
【００２６】
（第二の実施形態）
次に、第二の実施形態について、添付図面に基づいて説明するが、上述の第一の実施形態と同一又は同様な部材、部分には同一の符号を用いて説明を省略し、第一の実施形態と異なる構成について説明する。
【００２７】
図３Ａおよび図３Ｂに示すように、第二の実施形態による半導体モジュール１Ｂは、第一の半導体素子４の一部と第二の半導体素子５の一部とが、回路基板直交方向Ａに重畳するように配置されている。回路基板直交方向Ａから見て第一の半導体素子４と第二の半導体素子５とが重畳する面積は、例えば、第一の半導体素子４の面積の１／３〜１／２であるとよい。
【００２８】
本実施形態では、接続子７が、第一の半導体素子４と接合されている第一の素子接合部７１と、第二の半導体素子５と接合されている第二の素子接合部７２と、を有している。第一の素子接合部７１および第二の素子接合部７２は、一体に形成されている。
【００２９】
第一の素子接合部７１は、その面が回路基板直交方向Ａ、第一の回路基板面方向Ｂおよび第二の回路基板面方向Ｃを向く略直方体状にそれぞれ形成された第一の直方体部７１ａおよび第二の直方体部７１ｂを有している。これらは、第一の直方体部７１ａ、第二の直方体部７１ｂの順に、回路基板直交方向Ａの第一の回路基板２側から第二の回路基板３側に配列され、一体に形成されている。また、第一の直方体部７１ａおよび第二の直方体部７１ｂは、第二の回路基板面方向Ｃの寸法が略同じ寸法となるように形成されている。
【００３０】
そして、第一の直方体部７１ａの第二の回路基板３側の端面の一部と、第二の直方体部７１ｂの第一の回路基板２側の端面とが連結されている。回路基板直交方向Ａから見て、第一の直方体部７１ａは、第二の直方体部７１ｂよりも第一の回路基板面方向Ｂの寸法が大きく形成されている。
【００３１】
第一の直方体部７１ａのうち、第一の半導体素子４側の端面は、はんだ等の導電性接着剤（不図示）によって第一の半導体素子４の主面に接合され、第二の回路基板３側の端面は、一部が第二の直方体部７１ｂと接合され、他の一部が第二の素子接合部７２と接合され、これら以外の部分は、何も接合されておらず、第二の回路基板３および第二の半導体素子５と離間している。
第二の直方体部７１ｂのうち、第二の回路基板３側の端面は、はんだ等の導電性接着剤（不図示）によって第二の回路基板３の第一の導電層３２Ａに接合され、第一の回路基板２側の端面は、第一の直方体部７１ａに接合されている。
【００３２】
このような、第一の直方体部７１ａ、第二の直方体部７１ｂを有する第一の素子接合部７１は、第二の半導体素子５を介さずに、第一の半導体素子４と第二の回路基板３との間に挟み込まれている。
接続子７の第一の素子接合部７１および第二の半導体素子５は、ともに第二の回路基板３の第一の導電層３２Ａに接合されているが、第二の回路基板３の第一の導電層３２Ａにおいて、接続子７の第一の素子接合部７１が接合される領域と、第二の半導体素子５が接合される領域とは、電気的に独立している。
【００３３】
第二の素子接合部７２は、その面が回路基板直交方向Ａ、第一の回路基板面方向Ｂおよび第二の回路基板面方向Ｃを向く略直方体状にそれぞれ形成された第一の直方体部７２ａおよび第二の直方体部７２ｂと、第一の直方体部７２ａと第二の直方体部７２ｂとを連結する連結部７２ｃと、を有している。これらは、第一の直方体部７２ａ、連結部７２ｃ、第二の直方体部７２ｂの順に第一の回路基板面方向Ｂの一方側から他方側に配列され、一体に形成されている。また、第一の直方体部７２ａ、第二の直方体部７２ｂおよび連結部７２ｃは、第二の回路基板面方向Ｃの寸法が略同じ寸法となるように形成されている。この寸法は、第一の素子接合部６１の第二の回路基板面方向Ｃの寸法よりも小さく設定されている。
【００３４】
そして、第一の直方体部７２ａの連結部７２ｃ側の端面と連結部７２ｃの第一の直方体部７２ａ側の端面とが連結されていて、連結部７２ｃの第一の回路基板２側の端面と第二の直方体部７２ｂの第二の回路基板３側の端面の一部とが連結されている。回路基板直交方向Ａから見て、連結部７２ｃは、第二の直方体部７２ｂよりも第一の回路基板面方向Ｂの寸法が小さく形成されている。
【００３５】
第一の直方体部７２ａのうち、第二の半導体素子５側の端面は、はんだ等の導電性接着剤（不図示）によって第二の半導体素子５の主面に接合され、第一の回路基板２側の端面は、第一の回路基板２と離間している。
第二の直方体部７２ｂのうち、第一の回路基板２側の端面は、はんだ等の導電性接着剤（不図示）によって第一の回路基板２の第一の導電層２２Ａに接合され、第二の回路基板３側の端面は、第二の回路基板３と離間している。
連結部７２ｃは、第一の回路基板２、第二の回路基板３、第一の半導体素子４、および第二の半導体素子５に接合されていない。
【００３６】
このような、第一の直方体部７２ａ、第二の直方体部７２ｂおよび連結部７２ｃを有する第二の素子接合部７２は、第一の半導体素子４を介さずに、第二の半導体素子５と第一の回路基板２との間に挟み込まれている。
接続子７の第二の素子接合部７２および第一の半導体素子４は、ともに第一の回路基板２の第一の導電層２２Ａに接合されているが、第一の回路基板２の第一の導電層２２Ａにおいて、接続子７の第二の素子接合部７２が接合される領域と、第一の半導体素子４が接合される領域とは、電気的に独立している。
【００３７】
このような接続子７は、第一の半導体素子４と第二の半導体素子５とが回路基板直交方向Ａに重畳する部分において、第一の素子接合部７１の第一の直方体部７１ａと第二の素子接合部７２の第一の直方体部７２ａとが接続されている。
【００３８】
以上のように構成される本実施形態の半導体モジュール１Ｂでは、第一の実施形態の場合と同様に、第一の半導体素子４において発生した熱が、第一の回路基板２に伝わるとともに、接続子７の第一の素子接合部７１を介して第二の回路基板３に伝わる。また、第二の半導体素子５において発生した熱が、第二の回路基板３に伝わるとともに、接続子７の第二の素子接合部７２を介して第一の回路基板２に伝わる。
そして、第一の回路基板２および第二の回路基板３に伝わった第一の半導体素子４および第二の半導体素子５の熱は、半導体モジュール１Ｂの外部に放出することが可能である。
【００３９】
第二の実施形態による半導体モジュール１Ｂによれば、第一の実施形態と同様の効果を奏する。
また、本実施形態の半導体モジュール１Ｂによれば、第一の半導体素子４の一部と第二の半導体素子５の一部とが、回路基板直交方向Ａに重畳するように配置されていることにより、第一の実施形態の半導体モジュール１Ａと比較して、回路基板直交方向Ａから見た大きさを小さくすることができる。すなわち、半導体モジュール１Ｂの小型化を図ることができる。
【００４０】
以上、本発明による半導体モジュールの実施形態について説明したが、本発明は上記の実施形態に限定されるものではなく、その趣旨を逸脱しない範囲で適宜変更可能である。
例えば、上記の実施形態では、第一の回路基板２および第二の回路基板３の導電層は、セラミック板２１，３１の両主面に設けられているが、セラミック板２１，３１の一方の主面のみに設けられてもよい。
また、第一の回路基板２と第二の回路基板３との間には、例えば第一の半導体素子４、第二の半導体素子５および接続子６，７を封止する封止樹脂が設けられてもよい。
【００４１】
また、第一の回路基板２および第二の回路基板３は、少なくとも熱伝導性を有するとともに、第一の半導体素子４や第二の半導体素子５と電気接続するための導電性を有していればよい。したがって、第一の回路基板２および第二の回路基板３は、セラミック基板に限らず、例えばアルミ基板であってもよい。
【００４２】
また、上記の第二の実施形態では、第一の半導体素子４と第二の半導体素子５とが、それぞれの一部どうしが回路基板直交方向Ａに重畳するように配置されているが、例えば、図４Ａおよび図５Ｂに示す半導体モジュール１Ｃのように、回路基板直交方向Ａから見て、第一の半導体素子４が第二の半導体素子５よりも大きく形成されていて、第一の半導体素子４の一部と第二の半導体素子５の全体あるいは略全体とが回路基板直交方向Ａに重畳するように配置されてもよい。この構成であっても、第一の半導体素子４と第二の半導体素子５とを電気接続する接続子８は、少なくとも第二の半導体素子５を介さずに第一の半導体素子４と第二の回路基板３との間に挟み込まれて第一の半導体素子４と第二の回路基板３とに接する部分を有していればよい。
【００４３】
また、上記の第一の実施形態では、第二の素子接合部６２は、第一の直方体部６２ａ、第二の直方体部６２ｂおよび連結部６２ｃを有している。これに対し、図５に示す半導体モジュール１Ｄように、第二の素子接合部６２Ｄが第二の直方体部６２ｂおよび連結部６２ｃを有さず、第一の直方体部６２ａを有する形態で、第一の直方体部６２ａのうちの第二の半導体素子５側の端面がはんだ等の導電性接着剤（不図示）によって第二の半導体素子５の主面に接合され、第一の回路基板２側の端面がはんだ等の導電性接着剤（不図示）によって第一の回路基板２の第一の導電層２２Ａに接合されていてもよい。
このような場合にも、第二の半導体素子５において発生した熱を、第二の回路基板３だけではく、接続子６の第二の素子接合部６２Ｄを介して第一の回路基板２にも伝えることができる。
【００４４】
また、上記の第二の実施形態では、第二の素子接合部７２は、第一の直方体部７２ａ、第二の直方体部７２ｂおよび連結部７２ｃを有している。これに対し、図６に示す半導体モジュール１Ｅように、ように、第二の素子接合部７２Ｅが連結部７２ｃを有さず、第一の直方体部７２ａおよび第二の直方体部７２ｂを備えた形態で、第一の直方体部７２ａのうちの第二の半導体素子５側の端面がはんだ等の導電性接着剤（不図示）によって第二の半導体素子５の主面に接合され、第一の回路基板２側の端面の一部が第二の直方体部７２ｂの第二の回路基板３側の端面の一部と接合され、第二の直方体部７２ｂのうちの第一の回路基板２側の端面がはんだ等の導電性接着剤（不図示）によって第一の回路基板２の第一の導電層２２Ａに接合されていてもよい。
このような場合にも、第二の半導体素子５において発生した熱を、第二の回路基板３だけではく、接続子７の第二の素子接合部７２Ｅを介して第一の回路基板２にも伝えることができる。
【００４５】
また、上記の実施形態では、接続子６，７，８は、略直方体状の部材が組み合わさった形状に形成されているが、略円柱状や断面形状が略Ｚ字型状、棒状や板状などの部材が組み合わさった形状など適宜好ましい形状に形成されてよい。
【符号の説明】
【００４６】
１Ａ〜１Ｅ  半導体モジュール
２  第一の回路基板
３  第二の回路基板
４  第一の半導体素子
５  第二の半導体素子
６，７，８  接続子
Ａ  回路基板直交方向  
【要約】
熱伝導性を有する第一の回路基板と、第一の回路基板と対向配置された熱伝導性を有する第二の回路基板と、第二の回路基板と対向する第一の回路基板の対向面に接合された第一の半導体素子と、第一の回路基板と対向する第二の回路基板の対向面に接合された第二の半導体素子と、第一の半導体素子と第二の半導体素子とを電気接続する接続子と、を含み、接続子は、第二の半導体素子を介さずに第一の半導体素子と第二の回路基板との間に挟み込まれて第一の半導体素子と第二の回路基板とに接する部分を有する。【図１Ａ】
0005950488.tif 000002
【図１Ｂ】
0005950488.tif 000003
【図２】
0005950488.tif 000004
【図３Ａ】
0005950488.tif 000005
【図３Ｂ】
0005950488.tif 000006
【図４Ａ】
0005950488.tif 000007
【図４Ｂ】
0005950488.tif 000008
【図５】
0005950488.tif 000009
【図６】
0005950488.tif 000010